【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
画像を読み取る画像読取手段と、前記画像読取手段によって読み取られた画像に対応する画像データに基づいて記録材に画像を形成する画像形成手段とを備える画像形成装置において、
パターン画像を前記画像読取手段により読み取って得た第１の画像データと、前記第１の画像データに基づいて前記画像形成手段により記録材に形成したコピー画像を前記画像読取手段により読み取って得た第２の画像データとを比較する比較手段と、
原稿の画像の線幅と前記原稿の画像の画像データに基づいて前記画像形成手段が形成するコピー画像の線幅とが等しくなるように、前記比較手段による前記第１の画像データと前記第２の画像データとの比較結果に基づいて前記原稿の画像の画像データを補正する補正手段と、
を備えることを特徴とする画像形成装置。
【請求項２】
前記比較手段の比較により、前記第１の画像データと前記第２の画像データとの差分に基づく第１の補正値を算出する算出手段を備えることを特徴とする請求項１に記載の画像形成装置。
【請求項３】
前記補正手段は、前記原稿の画像の画像データに基づいて前記画像形成手段が形成するコピー画像の画像データに対して、前記第１の算出手段によって算出される前記第１の補正値に基づいて、前記原稿の画像の画像データに基づいて前記画像形成手段が形成するコピー画像に含まれるドットを間引く細らせ処理またはドットを付加する太らせ処理を行うことで、前記原稿の画像の画像データに基づいて前記画像形成手段が形成するコピー画像の線幅を補正することを特徴とする請求項２に記載の画像形成装置。
【請求項４】
画像を読み取る画像読取手段と、前記画像読取手段によって読み取られた画像に対応する画像データに基づいて記録材に画像を形成する画像形成手段とを備える画像形成装置において、
パターン画像を前記画像読取手段により読み取って得た第１の画像データと、前記第１の画像データに基づいて前記画像形成手段により記録材に形成したコピー画像を前記画像読取手段により読み取って得た第２の画像データと、前記画像形成装置に記憶されている補正データに基づいて前記画像形成手段により記録材に形成して得たプリント画像を前記画像読取手段により読み取って得た第３の画像データとを比較する比較手段と、
前記比較手段の比較により、前記第１の画像データと前記第２の画像データとの差分に基づく第１の補正値と、前記第１の画像データと前記第３の画像データとの差分に基づく第２の補正値と、前記第１の補正値と前記第２の補正値との差分に基づく第３の補正値を算出する算出手段と、
原稿の画像の線幅と前記原稿の画像の画像データに基づいて前記画像形成手段が形成するコピー画像の線幅とが等しくなるように、前記原稿画像の画像データを補正する第１の補正手段と、
プリント画像の線幅が所定の線幅となるように、前記第２の補正値に基づいてプリント出力時の画像データを補正する第２の補正手段と、
原稿の画像の線幅と原稿から読み取った画像の線幅とが等しくなるように、外部装置に送信対象の画像データを補正する第３の補正手段と、
を備えることを特徴とする画像形成装置。
【請求項５】
前記画像形成手段は、記録材に転写する画像の潜像が形成される感光ドラムを備え、
前記線幅の補正は、前記感光ドラムの回転軸に平行な主走査方向と前記感光ドラムの回転方向である副走査方向とにおいて独立して行うことを特徴とする請求項１乃至４いずれか１項に記載の画像形成装置。
【請求項６】
前記パターン画像は、前記主走査方向、或いは前記副走査方向、或いは前記主走査方向と前記副走査方向の両方、或いは前記主走査方向に平行でない斜め方向において、複数の濃度を持つ単色または複数色からなる複数種類の線画像であり、
前記線幅の補正量は、線幅、濃度、色に応じて設定される複数段階の補正量であることを特徴とする請求項１、４、５のいずれか１項に記載の画像形成装置。
【請求項７】
前記複数段階の補正量の間は、線形補間により補正量が決定されることを特徴とする請求項６に記載の画像形成装置。
【請求項８】
記録材に転写する画像の潜像の現像に用いるトナーの最大濃度を補正する最大濃度補正制御、カラーの画像形成における階調を補正する階調補正制御、前記線幅を補正する線幅補正制御の順番で実行することを特徴とする請求項１または４に記載の画像形成装置。
【請求項９】
前記画像読取手段により原稿から読み取って得た画像データにおいて文字（character）、図形（graphic）、写真（image）のいずれの画像域であるかを判別する画像域分離機能を有し、
前記画像域ごとに、線幅の補正量の調節を含む線幅の補正を実施する設定、或いは前記線幅の補正を実施しない設定が可能であることを特徴とする請求項１または４に記載の画像形成装置。
【請求項１０】
画像読取手段によって読み取られた画像に対応する画像データに基づいて記録材に画像を形成する画像形成手段を備える画像形成装置において、
パターン画像を前記画像読取手段により読み取って得た第１の画像データと、前記第１の画像データに基づいて前記画像形成手段により記録材に形成したコピー画像を前記画像読取手段により読み取って得た第２の画像データとを比較する比較手段と、
原稿の画像の線幅と前記原稿の画像の画像データに基づいて前記画像形成手段が形成するコピー画像の線幅とが等しくなるように、前記比較手段による前記第１の画像データと前記第２の画像データとの比較結果に基づいて前記原稿の画像の画像データを補正する補正手段と、
を備えることを特徴とする画像形成装置。
【請求項１１】
前記比較手段の比較により、前記第１の画像データと前記第２の画像データとの差分に基づく第１の補正値を算出する算出手段を備えることを特徴とする請求項１に記載の画像形成装置。
【請求項１２】
前記補正手段は、前記原稿の画像の画像データに基づいて前記画像形成手段が形成するコピー画像の画像データに対して、前記算出手段によって算出される前記第１の補正値に基づいて、前記原稿の画像の画像データに基づいて前記画像形成手段が形成するコピー画像に含まれるドットを間引く細らせ処理またはドットを付加する太らせ処理を行うことで、前記原稿の画像の画像データに基づいて前記画像形成手段が形成するコピー画像の線幅を補正することを特徴とする請求項２に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、電子写真方式により画像形成を行う画像形成装置に関する。
【手続補正４】
【補正対象書類名】明細書
【補正対象項目名】００１３
【補正方法】変更
【補正の内容】
【００１３】
本発明の目的は、コピー画像、プリント画像、画像データの線幅の忠実再現性を向上させることを可能とした画像形成装置を提供することにある。
【手続補正５】
【補正対象書類名】明細書
【補正対象項目名】００１４
【補正方法】変更
【補正の内容】
【００１４】
上記目的を達成するために、本発明は、画像を読み取る画像読取手段と、前記画像読取手段によって読み取られた画像に対応する画像データに基づいて記録材に画像を形成する画像形成手段とを備える画像形成装置において、パターン画像を前記画像読取手段により読み取って得た第１の画像データと、前記第１の画像データに基づいて前記画像形成手段により記録材に形成したコピー画像を前記画像読取手段により読み取って得た第２の画像データとを比較する比較手段と、原稿の画像の線幅と前記原稿の画像の画像データに基づいて前記画像形成手段が形成するコピー画像の線幅とが等しくなるように、前記比較手段による前記第１の画像データと前記第２の画像データとの比較結果に基づいて前記原稿の画像の画像データを補正する補正手段と、を備えることを特徴とする。
【手続補正６】
【補正対象書類名】明細書
【補正対象項目名】００１５
【補正方法】変更
【補正の内容】
【００１５】
また、本発明は、画像を読み取る画像読取手段と、前記画像読取手段によって読み取られた画像に対応する画像データに基づいて記録材に画像を形成する画像形成手段とを備える画像形成装置において、パターン画像を前記画像読取手段により読み取って得た第１の画像データと、前記第１の画像データに基づいて前記画像形成手段により記録材に形成したコピー画像を前記画像読取手段により読み取って得た第２の画像データと、前記画像形成装置に記憶されている補正データに基づいて前記画像形成手段により記録材に形成して得たプリント画像を前記画像読取手段により読み取って得た第３の画像データとを比較する比較手段と、前記比較手段の比較により、前記第１の画像データと前記第２の画像データとの差分に基づく第１の補正値と、前記第１の画像データと前記第３の画像データとの差分に基づく第２の補正値と、前記第１の補正値と前記第２の補正値との差分に基づく第３の補正値を算出する算出手段と、原稿の画像の線幅と前記原稿の画像の画像データに基づいて前記画像形成手段が形成するコピー画像の線幅とが等しくなるように、前記原稿画像の画像データを補正する第１の補正手段と、プリント画像の線幅が所定の線幅となるように、前記第２の補正値に基づいてプリント出力時の画像データを補正する第２の補正手段と、原稿の画像の線幅と原稿から読み取った画像の線幅とが等しくなるように、外部装置に送信対象の画像データを補正する第３の補正手段と、を備えることを特徴とする。
【手続補正７】
【補正対象書類名】明細書
【補正対象項目名】００１６
【補正方法】変更
【補正の内容】
【００１６】
本発明によれば、原稿の画像の線幅とコピー画像の線幅とが等しくなるように、比較手段による第１の画像データと第２の画像データとの比較結果に基づいて原稿の画像の画像データを補正する。また、プリント画像の線幅が所定の線幅となるように、第２の補正値に基づいてプリント出力時の画像データを補正する。また、原稿の画像の線幅と原稿から読み取った画像の線幅とが等しくなるように、外部装置に送信対象の画像データを補正する。これにより、原稿の画像を複写して得たコピー画像の線幅の忠実再現性を向上させることが可能となると共に、コピー画像以外のプリント画像や画像データの線幅についても忠実再現性を向上させることが可能となる。
【手続補正８】
【補正対象書類名】明細書
【補正対象項目名】００３７
【補正方法】変更
【補正の内容】
【００３７】
更に、空間フィルタ部３０５３によりＲＧＢ画像データの周波数特性を修正し、ＬＯＧ処理部３０５４により輝度信号であるＲＧＢ画像データ（ＲＧＢ信号）を反転して濃度信号に変換することにより、ＹＭＣ信号を得る。更に、出力色処理部３０５５により公知の出力マスキング法や３次元ルックアップテーブル（ＬＵＴ）補間演算を用いて、ＹＭＣ信号からＹＭＣＫ信号に変換し、ガンマ補正部３０５６に入力する。